(57)【要約】【課題】高い強度を有する新たな構造のコネクタを提供すること。【解決手段】コネクタに用いられるリテーナ３００は、本体部３１０と、本体部３１０から前方に突出した略板状のリテーナ嵌合部３２０と、本体部３１０から前方に延びる一対のアーム部３３０と、アーム部３３０間をＹ方向において連結する連結部３４０とを備えている。このように構成すると、アーム部３３０を細くしたとしても、アーム部３３０の変形に強い構造が得られる。そのため、リテーナ３００の強度を保持しつつ、Ｚ方向に沿って見た場合にリテーナ嵌合部３２０がアーム部３３０や連結部３４０と重ならない構成、即ち、インサート成形にも適する構成を得ることができる。【選択図】図４
2011113871.tif 000002
【特許請求の範囲】
【請求項１】
相手方嵌合部を有する相手方コネクタと前後方向に沿って嵌合接続するコネクタであって、
前記コネクタは、接触部を夫々有する複数のコンタクトと、前記相手方嵌合部が挿入されるシェル嵌合部であって前記前後方向と直交する所定面内において前記コンタクトの前記接触部を囲うシェル嵌合部を有するシェルと、前記コンタクトを保持するリテーナとを有し、
前記リテーナは、本体部と、該本体部から前記コンタクトの先端部より前方に向かって延びると共に前記シェル嵌合部の一部を支持する支持部とを備える
コネクタ。
【請求項２】
請求項１記載のコネクタであって、
前記支持部は、前記本体部から前方に向かって延びる一対のアーム部と、前記前後方向と直交する横方向において前記アーム部間を連結する連結部とを備える
コネクタ。
【請求項３】
請求項１又は請求項２記載のコネクタであって、
前記支持部は、前記所定平面内において前記シェル嵌合部を外側から支持している
コネクタ。
【請求項４】
請求項１乃至請求項３のいずれかに記載のコネクタであって、
前記リテーナは、前記本体部から前方に向かって突出した略板状のリテーナ嵌合部を更に備えており、
前記接触部は該リテーナ嵌合部に保持されており、
前記シェル嵌合部は、前記接触部と前記リテーナ嵌合部とを前記所定平面内において囲んでいる
コネクタ。
【請求項５】
請求項４記載のコネクタであって、
前記複数のコンタクトと前記リテーナとは、インサート成形により一体化されたものであり、
前記アーム部及び前記連結部と前記リテーナ嵌合部とは前記インサート成形に際して用いられる金型の可動方向に沿って見た場合に重ならないように設けられている
コネクタ。
【請求項６】
請求項５記載のコネクタであって、
前記金型の可動方向は、前記前後方向及び前記横方向の双方に直交する上下方向である
コネクタ。
【請求項７】
請求項１乃至請求項６のいずれかに記載のコネクタであって、基板に取付固定されるコネクタにおいて、
前記アーム部及び／又は前記連結部は、前記コネクタが前記基板に取付固定された状態において前記基板に搭載される搭載部を備えている
コネクタ。
【請求項８】
請求項７記載のコネクタであって、
前記アーム部及び／又は前記連結部は、前記取付固定された状態において前記基板に対して前記搭載部のみで当接している
コネクタ。
【請求項９】
請求項７又は請求項８記載のコネクタであって、
前記コンタクトは、前記取付固定された状態において前記コネクタの後端側において前記基板に接続固定されるものであり、
前記搭載部は、前記コネクタの重心よりも前方に位置している
コネクタ。
【請求項１０】
請求項７乃至請求項８のいずれかに記載のコネクタであって、
前記連結部は、上方に突出した受部であって前記シェル嵌合部の下面を受ける受部が形成されている
コネクタ。
【請求項１１】
請求項１０記載のコネクタであって、
前記シェル嵌合部は、前記アーム部により支持される被支持部と、該被支持部よりも上方に位置する嵌合下主部とを有しており、
前記嵌合下主部は、前記受部のみによって前記連結部と接触している
コネクタ。
【請求項１２】
請求項１１記載のコネクタであって、
前記シェルは、金属板を打ち抜き加工してブランクを得た後、該ブランクを折り曲げ形成して得られるものであり、
前記嵌合下主部は、前記ブランクの端部同士にて構成される繋ぎ部を有しており、
前記凸部は、前記繋ぎ部を下側から受けている
コネクタ。
【発明の詳細な説明】
【技術分野】
【０００１】
本発明は、相手方コネクタとの嵌合部を基板から離した状態で当該基板に搭載されるコネクタに関する。
【背景技術】
【０００２】
この種のコネクタとしては、例えば特許文献１に開示されたものがある。特許文献１のコネクタは、シェルとリテーナとを弾性係合させている。これにより、特許文献１のコネクタは、相手方コネクタのこじりに対して強い構造を有している。
【先行技術文献】
【特許文献】
【０００３】
【特許文献１】特開平１１−４０２７１号公報
【発明の概要】
【発明が解決しようとする課題】
【０００４】
しかしながら、特許文献１に開示された構造では未だ強度的な問題がある。
【０００５】
また、コネクタの小型化を図るべく、コンタクトとそれを保持する絶縁体からなるリテーナとをインサート成形により一体化したいという要求があるが、特許文献１に開示された構造をインサート成形にて実現するのは困難である。
【０００６】
本発明は、高い強度を有する新たな構造のコネクタを提供することを目的とする。
【課題を解決するための手段】
【０００７】
本発明によれば、第１のコネクタとして、相手方嵌合部を有する相手方コネクタと前後方向に沿って嵌合接続するコネクタであって、
前記コネクタは、接触部を夫々有する複数のコンタクトと、前記相手方嵌合部が挿入されるシェル嵌合部であって前記前後方向と直交する所定面内において前記コンタクトの前記接触部を囲うシェル嵌合部を有するシェルと、前記コンタクトを保持するリテーナとを有し、
前記リテーナは、本体部と、該本体部から前記コンタクトの先端部より前方に向かって延びると共に前記シェル嵌合部の一部を支持する支持部とを備える
コネクタが得られる。
【０００８】
また、本発明によれば、第２のコネクタとして、第１のコネクタであって、
前記支持部は、前記本体部から前方に向かって延びる一対のアーム部と、前記前後方向と直交する横方向において前記アーム部間を連結する連結部とを備える
コネクタが得られる。
【０００９】
また、本発明によれば、第３のコネクタとして、第１又は第２のコネクタであって、
前記支持部は、前記所定平面内において前記シェル嵌合部を外側から支持している
コネクタが得られる。
【００１０】
また、本発明によれば、第４のコネクタとして、第１乃至第３のいずれかのコネクタであって、
前記リテーナは、前記本体部から前方に向かって突出した略板状のリテーナ嵌合部を更に備えており、
前記接触部は該リテーナ嵌合部に保持されており、
前記シェル嵌合部は、前記接触部と前記リテーナ嵌合部とを前記所定平面内において囲んでいる
コネクタが得られる。
【００１１】
また、本発明によれば、第５のコネクタとして、第４のコネクタであって、
前記複数のコンタクトと前記リテーナとは、インサート成形により一体化されたものであり、
前記アーム部及び前記連結部と前記リテーナ嵌合部とは前記インサート成形に際して用いられる金型の可動方向に沿って見た場合に重ならないように設けられている
コネクタが得られる。
【００１２】
また、本発明によれば、第６のコネクタとして、第５のコネクタであって、
前記金型の可動方向は、前記前後方向及び前記横方向の双方に直交する上下方向である
コネクタが得られる。
【００１３】
また、本発明によれば、第７のコネクタとして、第１乃至第６のいずれかのコネクタであって、基板に取付固定されるコネクタにおいて、
前記アーム部及び／又は前記連結部は、前記コネクタが前記基板に取付固定された状態において前記基板に搭載される搭載部を備えている
コネクタが得られる。
【００１４】
また、本発明によれば、第８のコネクタとして、第７のコネクタであって、
前記アーム部及び／又は前記連結部は、前記取付固定された状態において前記基板に対して前記搭載部のみで当接している
コネクタが得られる。
【００１５】
また、本発明によれば、第９のコネクタとして、第７又は第８のコネクタであって、
前記コンタクトは、前記取付固定された状態において前記コネクタの後端側において前記基板に接続固定されるものであり、
前記搭載部は、前記コネクタの重心よりも前方に位置している
コネクタが得られる。
【００１６】
また、本発明によれば、第１０のコネクタとして、第７乃至第９のいずれかのコネクタであって、
前記連結部は、上方に突出した受部であって前記シェル嵌合部の下面を受ける受部が形成されている
コネクタが得られる。
【００１７】
また、本発明によれば、第１１のコネクタとして、第１０のコネクタであって、
前記シェル嵌合部は、前記アーム部により支持される被支持部と、該被支持部よりも上方に位置する嵌合下主部とを有しており、
前記嵌合下主部は、前記受部のみによって前記連結部と接触している
コネクタが得られる。
【００１８】
また、本発明によれば、第１２のコネクタとして、第１１のコネクタであって、
前記シェルは、金属板を打ち抜き加工してブランクを得た後、該ブランクを折り曲げ形成して得られるものであり、
前記嵌合下主部は、前記ブランクの端部同士にて構成される繋ぎ部を有しており、
前記凸部は、前記繋ぎ部を下側から受けている
コネクタが得られる。
【発明の効果】
【００１９】
本発明によれば、アーム部を横方向において連結する連結部をリテーナに設けたことから、アーム部の位置・形状を安定させることができ、コネクタに対して高い強度を付与することができる。
【図面の簡単な説明】
【００２０】
【図１】本発明の実施の形態によるコネクタを示す斜視図である。
【図２】図１のコネクタを示す正面図である。
【図３】図１のコネクタを示す底面図である。
【図４】図１のコネクタに含まれるリテーナ及びコンタクトを示す斜視図である。
【図５】図４のリテーナ及びコンタクトを示す底面図である。
【図６】図４のリテーナ及びコンタクトを示す側面図である。
【図７】図２のコネクタを基板に取付固定した状態を示す正面図である。
【図８】相手方コネクタを示す斜視図である。
【図９】図１のコネクタと図８の相手方コネクタの嵌合状態を示す斜視図である。ここで、コネクタは基板に取付固定されている。
【図１０】図１のコネクタと図８の相手方コネクタの嵌合状態を示す他の斜視図である。
【発明を実施するための形態】
【００２１】
図１乃至図３並びに図８乃至図１０を参照すると、本発明の実施の形態によるコネクタ１００は、Ｘ方向（前後方向：嵌合方向）に沿って相手方コネクタ５００と嵌合接続するものである。図８に示されるように、相手方コネクタ５００は、コネクタ１００との嵌合接続時においてコネクタ１００に挿入される相手方嵌合部５１０を備えている。相手方コネクタ５００には、コネクタ１００の一部を受容する受容口５２０が設けられており、その内部には、相手方コンタクト５３０が配設されている。
【００２２】
図１乃至図３を参照すると、コネクタ１００は、複数のコンタクト２００と、絶縁体からなるリテーナ３００と、金属製のシェル４００とを備えている。図４乃至図６を参照すると、コネクタ１００の強度を保持しつつ小型化を図るため、本実施の形態によるコンタクト２００とリテーナ３００とは、インサート成形により一体化されている。
【００２３】
図３、図５及び図６を参照すると、複数のコンタクト２００は、上述したようにインサート成形により、Ｙ方向（横方向）に並ぶようにリテーナ３００に列設保持されている。各コンタクト２００は、相手方コネクタ５００の相手方コンタクト５３０と接触する接触部２１０と、基板６００（図１０参照）に接続固定される固定部２２０とを有している。図３から理解されるように、固定部２２０は、コネクタ１００の後端１２０側に位置している。
【００２４】
図４乃至図６を参照すると、リテーナ３００は、本体部３１０と、前方（−Ｘ方向：相手方コネクタ５００をコネクタ１００から抜去する際の抜去方向）に向かって本体部３１０のＹ方向略中央部から突出した略板状のリテーナ嵌合部３２０と、支持部とを備えている。支持部は、本体部３１０のＹ方向両端から前方に向かって延びる一対のアーム部３３０と、Ｙ方向においてアーム部３３０間を連結する連結部３４０とを備えている。本体部３１０、アーム部３３０及び連結部３４０は、開口３５０を規定している。
【００２５】
本体部３１０には、複数のコンタクト２００が埋設保持されている。この本体部３１０は、後述するように、シェル４００により保持される部位であり、コネクタ１００の後端１２０を構成する。
【００２６】
リテーナ嵌合部３２０は、相手方コネクタ５００の受容口５２０に受容される部位であり、その下面側には、相手方コンタクト５３０と接触可能なように、接触部２１０が配列保持されている。このリテーナ嵌合部３２０は、Ｚ方向（上下方向）に沿って見た場合に、アーム部３３０及び連結部３４０と重ならないように設けられている。換言すると、リテーナ嵌合部３２０は、上方から見た場合に、本体部３１０、アーム部３３０及び連結部３４０により規定された開口３５０上に位置している。本実施の形態において、リテーナ３００とコンタクト２００とをインサート成形する際に用いられる金型の可動方向（移動方向）はＺ方向のみ（即ち、一方向のみ）であり、開口３５０は、金型を構成する部品の一方を抜く際に生じるものである。このように、インサート成形における金型の可動方向を一方向のみとし、アーム部３３０とリテーナ嵌合部３２０とを金型の可動方向において重ならないように構成すると、インサート成形の工程を不要に複雑にすることなく、且つ、金型の構成をシンプルなものとすることができる。
【００２７】
ここで、リテーナ３００のアーム部３３０及び連結部３４０について詳細に説明する前に、図１乃至図６を参照して、シェル４００について説明する。
【００２８】
図２、図３及び図５を参照すると、シェル４００は、コンタクト２００の接触部２１０とリテーナ嵌合部３２０とをＹＺ平面内において囲うシェル嵌合部４１０を備えている。このシェル嵌合部４１０は、相手方コネクタ５００の相手方嵌合部５１０が挿入される部位である。本実施の形態によるシェル４００は、一枚の金属板を打ち抜き加工してブランクを得た後、該ブランクを折り曲げ形成して得られるものであり、ブランクの端部同士で構成される繋ぎ部（合わせ部）４１４を有している。この繋ぎ部４１４は、シェル嵌合部４１０の下部に位置している。詳しくは、本実施の形態によるシェル嵌合部４１０の下側の部位は、Ｙ方向両端においてＸ方向に延びる細長い板状の被支持部４２０と、被支持部４２０よりも上方（＋Ｚ方向）に位置する嵌合下主部４３０とを有しており、前述の繋ぎ部４１４は嵌合下主部４３０のＹ方向略中央付近に位置している。但し、シェル嵌合部４１０の前端４１２の形状は、相手方コネクタ５００の相手方嵌合部５１０によって決まるものであり、本実施の形態に示された形状に限定されるわけではない。
【００２９】
シェル嵌合部４１０の後端側から接触部２１０とそれを保持するリテーナ嵌合部３２０とをシェル嵌合部４１０内に挿入し、リテーナ嵌合部３２０をシェル嵌合部４１０内に配置させた状態でシェル嵌合部４１０の後端にてリテーナ３００の本体部３１０を保持することにより、図１に示されるようなコネクタ１００が得られる。本実施の形態によるシェル４００には、４つのポスト４４０が設けられている。コネクタ１００の実使用時においては、図９に示されるように、これらポスト４４０を基板６００に刺すことにより、コネクタ１００を基板６００に取付固定する。
【００３０】
コネクタ１００を基板６００に取付固定した際に、シェル嵌合部４１０の前端４１２を基板６００の表面よりも若干高い位置に位置させたい場合がある。この場合に、シェル嵌合部４１０を下側（即ち、外側）から支えるためのものが、アーム部３３０である。換言すると、アーム部３３０は、シェル嵌合部４１０の前端４１２（即ち、コネクタ１００の嵌合端１１０）の高さ調節をするための部位である。詳しくは、本実施の形態によるアーム部３３０は、シェル嵌合部４１０の被支持部４２０を夫々支持している。なお、本実施の形態によるアーム部３３０は、Ｘ方向のみに延びているが、例えば、略Ｌ字形状を有していてもよい。但し、アーム部３３０が如何なる形状を有する場合であっても、上述したようにインサート成形の際の金型の形状を不要に複雑にせず且つ工程の複雑化を防止するためには、Ｚ方向に沿って見た場合にアーム部３３０とリテーナ嵌合部３２０とが互いに重ならないように構成されていることが好ましい。
【００３１】
更に詳しくは、本実施の形態によるアーム部３３０は、先端近傍に搭載部３３２を備えている。この搭載部３３２は、図７に示されるように、コネクタ１００を基板６００に取付固定した際に基板６００に搭載される部位である。図６及び図７から理解されるように、本実施の形態によるアーム部３３０は、この搭載部３３２のみにおいて基板６００と接している。これにより、アーム部３３０の形状・サイズにばらつきがあったとしても、それらのばらつきの影響を最小限に抑えることができる。なお、搭載部３３２の位置は、アーム部３３０の先端近傍でなくともよい。但し、図３及び図６から理解されるように、コネクタ１００の実使用時には、コネクタ１００の後端１２０側においてコンタクト２００の固定部２２０が基板６００に接続固定されることから、搭載部３３２の位置によっては、コネクタ１００の基板６００への取付状態が安定しない恐れがある。取付状態の安定化を図るため、搭載部３３２は、コネクタ１００の重心よりも前方に位置していることが好ましい。
【００３２】
図３及び図５を参照すると、本実施の形態による連結部３４０は、コネクタ１００の嵌合端１１０近傍においてアーム部３３０を連結している。比較的単純な形状の金型を用いて且つ金型の可動方向を一方向としつつコンタクト２００とリテーナ３００とのインサート成形を可能とするためには、上述したように、アーム部３３０とリテーナ嵌合部３２０とがＺ方向において重ならないように構成しなければならない。この場合、リテーナ嵌合部３２０のサイズを変えることなくコネクタ１００全体の小型化を図ろうとすると、アーム部３３０が細長くなってしまう。細長い形状のアーム部３３０は、反りかえる恐れもあり、また、他方のアーム部３３０とのＺ方向における位置ずれ（高さのずれ）を起し易い。しかしながら、連結部３４０により２つのアーム部３３０を連結することとすると、細長いアーム部３３０であったとしてもアーム部３３０の高さのずれの影響やアーム部３３０の反りの影響などを比較的小さくすることができる。
【００３３】
本実施の形態による連結部３４０は、図７から理解されるように、形状・サイズのばらつきによる影響を低めるため、コネクタ１００を基板６００に取付固定した状態であっても基板６００に接しないように構成されている。即ち、本実施の形態によるアーム部３３０及び連結部３４０は、コネクタ１００を基板６００に取付固定した状態においてアーム部３３０の搭載部３３２のみによって基板６００と接するように構成されている。但し、本発明はこれに制限されるわけではなく、連結部３４０の下面を基板６００に一様に接触させることとしてもよい。
【００３４】
図２、図４、図６及び図７を参照すると、本実施の形態による連結部３４０のＹ方向略中央付近には上方（＋Ｚ方向）に突出した受部３４２が設けられている。この受部３４２は、シェル嵌合部４１０の下面を受けるためのものである。図７、図９及び図１０から理解されるように、例えば、相手方コネクタ５００とコネクタ１００との嵌合／抜去時においてシェル嵌合部４１０が相手方嵌合部５１０から「こじり」などの好ましくない力を受けることもある。本実施の形態によれば、かかる好ましくない力がシェル嵌合部４１０に加えられた場合であっても、連結部３４０の受部及びアーム部３３０の搭載部３３２を介して好ましくない力を基板６００で受けることができることから、シェル嵌合部４１０の変形などを抑止することができる。
【００３５】
詳しくは、受部３４２は、シェル嵌合部４１０の嵌合下主部４３０、特に、繋ぎ部４１４を下側から受けている。これにより、シェル嵌合部４１０の変形防止を効果的に抑止することができる。また、本実施の形態においては、連結部３４０は、受部３４２のみによってシェル嵌合部４１０（詳しくは嵌合下主部４３０）に接している。これにより、連結部３４０の形状・サイズのばらつきが生じた場合であっても、そのばらつきがシェル嵌合部４１０の嵌合端４１２の位置に与える影響を最小限に抑えることができる。
【符号の説明】
【００３６】
１００        コネクタ
１１０        嵌合端（前端）
１２０        後端
２００        コンタクト
２１０        接触部
２２０        固定部
３００        リテーナ
３１０        本体部
３２０        リテーナ嵌合部
３３０        アーム部（支持部）
３３２        搭載部
３４０        連結部（支持部）
３４２        受部
３５０        開口
４００        シェル
４１０        シェル嵌合部
４１２        前端
４１４        繋ぎ部
４２０        被支持部
４３０        嵌合下主部
４４０        ポスト
５００        相手方コネクタ
５１０        相手方嵌合部
５２０        受容口
５３０        相手方コンタクト
６００        基板
【図１】
2011113871.tif 000003
【図２】
2011113871.tif 000004
【図３】
2011113871.tif 000005
【図４】
2011113871.tif 000006
【図５】
2011113871.tif 000007
【図６】
2011113871.tif 000008
【図７】
2011113871.tif 000009
【図８】
2011113871.tif 000010
【図９】
2011113871.tif 000011
【図１０】
2011113871.tif 000012